(57)【特許請求の範囲】
【請求項１】
車両に搭載されるデジタルテレビ放送受信機であって、
入力されたパスワードに基づく認証を行う認証手段と、
前記認証が成功した場合に、デジタルテレビ放送の視聴に必要な個人情報へのアクセスを許可するアクセス許可手段と、
前記車両の走行中に、前記個人情報へアクセスするための操作指示がなされた場合に、車両を停止させる旨の指示を通知する停止指示通知手段と、
を有することを特徴とするデジタルテレビ放送受信機。
【請求項２】
前記個人情報へのアクセスが許可された場合に、前記個人情報を消去する個人情報消去手段を有することを特徴とする請求項１に記載のデジタルテレビ放送受信機。
【請求項３】
前記個人情報へのアクセスが許可された場合に、前記個人情報を外部記憶媒体に記憶させる個人情報記憶処理手段を有することを特徴とする請求項１又は２に記載のデジタルテレビ放送受信機。
【請求項４】
前記個人情報記憶処理手段は、ユーザの操作指示に応じて、前記個人情報を外部記憶媒体に記憶させることを特徴とする請求項３に記載のデジタルテレビ放送受信機。
【請求項５】
前記個人情報へのアクセスが許可された場合に、前記個人情報の内容を通知する個人情報通知手段を有することを特徴とする請求項１乃至４のいずれかに記載のデジタルテレビ放送受信機。
【請求項６】
前記デジタルテレビ放送受信機の電源が投入されたときに、パスワードの入力を指示するパスワード入力指示手段を有することを特徴とする請求項１乃至５のいずれかに記載のデジタルテレビ放送受信機。
【請求項７】
前記個人情報へのアクセスの可否を設定するアクセス可否設定手段を有し、
前記アクセス許可手段は、前記アクセス可否設定手段により前記個人情報へのアクセスを許可する設定がなされている場合に、前記個人情報へのアクセスを許可することを特徴とする請求項１乃至６のいずれかに記載のデジタルテレビ放送受信機。
【請求項８】
前記アクセス許可手段は、前記個人情報へのアクセスを許可する状態において、前記車両が走行中に、ユーザによる前記個人情報にアクセスするための操作指示に応じた前記個人情報へのアクセスを許可しないことを特徴とする請求項１に記載のデジタルテレビ放送受信機。
【請求項９】
前記アクセス許可手段は、前記個人情報へのアクセスを許可する状態において、前記車両に運転者以外の者が搭乗している場合に、前記個人情報へのアクセスを許可しないことを特徴とする請求項１又は８に記載のデジタルテレビ放送受信機。
【請求項１０】
前記アクセス許可手段は、前記個人情報へのアクセスを許可する状態において、運転者以外の者による前記個人情報にアクセスするための操作指示に応じた前記個人情報へのアクセスを許可しないことを特徴とする請求項１、８又は９のいずれかに記載のデジタルテレビ放送受信機。
【請求項１１】
前記個人情報へのアクセスを許可しない旨を通知するアクセス不許可通知手段を有することを特徴とする請求項１、又は８乃至１０のいずれかに記載のデジタルテレビ放送受信機。
【請求項１２】
入力されたパスワードに基づく認証を行う認証ステップと、
前記認証が成功した場合に、デジタルテレビ放送の視聴に必要な個人情報へのアクセスを許可するアクセス許可ステップと、
デジタルテレビ放送受信機が搭載された車両の走行中に、ユーザによる前記個人情報にアクセスするための操作指示がなされた場合に、車両を停止させる旨の指示を通知する通知ステップと、
を有することを特徴とするデジタルテレビ放送受信機における情報管理方法。
【発明の詳細な説明】
【技術分野】
【０００１】
本発明は、デジタルテレビ放送を受信するデジタルテレビ放送受信機及びデジタルテレビ放送受信機における情報管理方法に関する。
【背景技術】
【０００２】
デジタルテレビ放送の開始に伴い、家庭用のデジタルテレビ放送受信機のみならず、車載用のデジタルテレビ放送受信機も利用されるようになっている（例えば、特許文献１及び２参照）。また、近年、個人情報の保護の要請が高まっていることに鑑み、個人情報を適切に保護することが可能な技術が提案されている（例えば、特許文献３参照）。
【特許文献１】特開２００２−５７９９６号公報
【特許文献２】特開２００２−１０１３５９号公報
【特許文献３】特開２００２−２７８７５３号公報
【発明の開示】
【発明が解決しようとする課題】
【０００３】
ところで、デジタルテレビ放送受信機においても、デジタルテレビ放送の視聴に必要な個人情報として、居住地域等が用いられているが、従来、このような個人情報は、適切に保護されているとは言い難い状態である。このため、デジタルテレビ放送受信機においても、個人情報の適切な保護が要求されているところである。
【０００４】
本発明は、前述したような従来の問題を解決するためになされたもので、デジタルテレビ放送の視聴に必要な個人情報の適切な保護を図ったデジタルテレビ放送受信機及びデジタルテレビ放送受信機における情報管理方法を提供するものである。
【課題を解決するための手段】
【０００５】
本発明のデジタルテレビ放送受信機は、車両に搭載されるデジタルテレビ放送受信機であって、入力されたパスワードに基づく認証を行う認証手段と、前記認証が成功した場合に、デジタルテレビ放送の視聴に必要な個人情報へのアクセスを許可するアクセス許可手段と、前記車両の走行中に、前記個人情報へアクセスするための操作指示がなされた場合に、車両を停止させる旨の指示を通知する停止指示通知手段と、を有することを特徴とする。
【０００６】
この構成によれば、車両が走行中の場合における、個人情報にアクセスするための操作指示を抑制することが可能となる。
【０００７】
また、本発明のデジタルテレビ放送受信機は、前記個人情報へのアクセスが許可された場合に、前記個人情報を消去する個人情報消去手段を有するようにしてもよい。
【０００８】
この構成によれば、デジタルテレビ放送受信機を他人に譲り渡す場合等において、前もって個人情報を消去することにより、その保護を図ることができる。
【０００９】
また、本発明のデジタルテレビ放送受信機は、前記個人情報へのアクセスが許可された場合に、前記個人情報を外部記憶媒体に記憶させる個人情報記憶処理手段を有するようにしてもよい。
【００１０】
この構成によれば、個人情報をデジタルテレビ放送受信機から消去しつつ、外部記録媒体に残しておくことができる。
【００１１】
また、本発明のデジタルテレビ放送受信機は、前記個人情報記憶処理手段が、ユーザの操作指示に応じて、前記個人情報を外部記憶媒体に記憶させるようにしてもよい。
【００１２】
この構成によれば、ユーザの意向をも考慮して外部媒体への記憶を行うことが可能となる。
【００１３】
また、本発明のデジタルテレビ放送受信機は、前記個人情報へのアクセスが許可された場合に、前記個人情報の内容を通知する個人情報通知手段を有するようにしてもよい。
【００１４】
この構成によれば、ユーザが個人情報の内容を認識することが可能となる。
【００１５】
また、本発明のデジタルテレビ放送受信機は、前記デジタルテレビ放送受信機の電源が投入されたときに、パスワードの入力を指示するパスワード入力指示手段を有するようにしてもよい。
【００１６】
この構成によれば、デジタルテレビ放送受信機が盗難された場合等において、電源が投入されても、パスワードの入力、認証がなされなければ、個人情報にアクセスすることができないため、個人情報の保護を図ることができる。
【００１７】
また、本発明のデジタルテレビ放送受信機は、前記個人情報へのアクセスの可否を設定するアクセス可否設定手段を有し、前記アクセス許可手段が、前記アクセス可否設定手段により前記個人情報へのアクセスを許可する設定がなされている場合に、前記個人情報へのアクセスを許可するようにしてもよい。
【００１８】
この構成によれば、ユーザの意向をも考慮した個人情報へのアクセスが可能となる。
【００１９】
また、本発明のデジタルテレビ放送受信機は、車両に搭載される場合に、前記アクセス許可手段は、前記個人情報へのアクセスを許可する状態において、前記車両が走行中に、ユーザによる前記個人情報にアクセスするための操作指示に応じた前記個人情報へのアクセスを許可しないようにしてもよい。
【００２０】
この構成によれば、車両の走行中には、個人情報を利用した各種処理のための操作指示が継続されることが防止される。
【００２３】
また、本発明のデジタルテレビ放送受信機は、前記アクセス許可手段が、前記個人情報へのアクセスを許可する状態において、前記車両に運転者以外の者が搭乗している場合に、前記個人情報へのアクセスを許可しないようにして
もよい。
【００２４】
この構成によれば、運転者以外の者が運転者の個人情報を認識することが防止される。
【００２５】
また、本発明のデジタルテレビ放送受信機は、前記アクセス許可手段が、前記個人情報へのアクセスを許可する状態において、運転者以外の者による前記個人情報にアクセスするための操作指示に応じた前記個人情報へのアクセスを許可しないようにしてもよい。
【００２６】
この構成によれば、上述と同様、運転者以外の者が運転者の個人情報を認識することが防止される。
【００２７】
また、本発明のデジタルテレビ放送受信機は、前記個人情報へのアクセスを許可しない旨を通知するアクセス不許可通知手段を有するようにしてもよい。
【００２８】
この構成によれば、ユーザは、個人情報へのアクセスが許可されていないことを認識することが可能となる。
【００３１】
本発明のデジタルテレビ放送受信機における情報管理方法は、入力されたパスワードに基づく認証を行う認証ステップと、前記認証が成功した場合に、デジタルテレビ放送の視聴に必要な個人情報へのアクセスを許可するアクセス許可ステップと、デジタルテレビ放送受信機が搭載された車両の走行中に、ユーザによる前記個人情報にアクセスするための操作指示がなされた場合に、車両を停止させる旨の指示を通知する通知ステップと、を有することを特徴とする。
【発明の効果】
【００３２】
本発明によれば、車両が走行中の場合における、個人情報にアクセスするための操作指示を抑制することが可能となるため、デジタルテレビ放送受信機における個人情報の保護が図られる。
【発明を実施するための最良の形態】
【００３３】
以下、本発明の実施の形態のデジタルテレビ放送受信機について、図面を用いて説明する。図１は、デジタルテレビ放送受信機の構成を示す図である。このデジタルテレビ放送受信機１００は、車両に搭載されるものであり、放送信号を受信するアンテナ１０と、処理ユニット２０、スピーカ５０、ディスプレイ６０及び操作部６２とによって構成される。これらのうち、処理ユニット２０は、バス２１に接続されたＣＰＵ２２、入出力部２４、ＲＡＭ２６、ＲＯＭ２８、カードスロット３０、チューナ３６、復調部３８、ＴＳデコーダ４０、音声デコーダ４２、画像デコーダ４４及び表示処理部４６によって構成される。
【００３４】
ＣＰＵ２２は、ＲＡＭ２６やＲＯＭ２８に記憶されたプログラムや情報を用いて、処理ユニット２０の全体を制御するための各種処理を行う。入出力部２４は、ユーザによる操作部６２の操作に応じた指示を受け付ける。ＲＡＭ２６は、デジタルテレビ放送の視聴に必要な個人情報を記憶する。カードスロット３０は、外部記憶媒体である図示しないメモリカードを装着することができる。
【００３５】
チューナ３６は、アンテナ１０によって受信された放送信号から目的の放送信号を取り出す処理を行う。復調部３８は、チューナ３６によって取り出された信号を復調する。ＴＳデコーダ４０は、スクランブル解除情報に基づいて、復調後の信号に対してスクランブルを解除する処理を行う。音声デコーダ４２は、ＴＳデコーダ４０の出力信号を復号して音声信号を取り出しスピーカ５０へ出力する。画像デコーダ４４は、ＴＳデコーダ４０の出力信号を復号して画像信号を取り出す。表示処理部４６は、画像デコーダ４４からの画像信号に基づいて、ディスプレイ６０による画像表示に必要な処理を行う。
【００３６】
以下、フローチャートを参照しつつ、デジタルテレビ放送受信機１００の個人情報保護に関する動作についての第１実施例乃至第８実施例を説明する。
【００３７】
（第１実施例）
図２は、第１実施例におけるデジタルテレビ放送受信機１００の動作を示すフローチャートであり、図３は、第１実施例におけるディスプレイ６０に表示される画像の一例を示す図である。
【００３８】
処理ユニット２０内のＣＰＵ２２は、デジタルテレビ放送が受信されて、ディスプレイ６０にその画像（図３（ａ））が表示されている時に、ユーザが操作部６２を操作してメニュー画面の表示を指示すると、その指示に応じた信号を、入出力部２４を介して入力する。そして、ＣＰＵ２２は、そのユーザの指示に応じて、表示処理部４６に対してメニュー画面の表示を指示する。表示処理部４６は、この指示に応じて、図３（ｂ）に示すメニュー画面を生成し、ディスプレイ６０に表示させる（Ｓ１０１）。
【００３９】
その後、ＣＰＵ２２は、ユーザがディスプレイ６０に表示されたメニュー画面における「居住地域設定」の表示領域２０１に接触した場合、その旨の信号を、入出力部２４を介して入力する。ＣＰＵ２２は、この表示領域２０１に接触した旨の信号によって、デジタルテレビ放送の視聴に必要な個人情報である居住地域の設定が指示されたと判定する。この場合、ＣＰＵ２２は、表示処理部４６に対してパスワード入力画面の表示を指示する。表示処理部４６は、この指示に応じて、図３（ｃ）に示すパスワード入力画面を生成し、ディスプレイ６０に表示させる（Ｓ１０２）。
【００４０】
次に、ＣＰＵ２２は、ユーザによってパスワードが入力されたか否かを判定する（Ｓ１０３）。ユーザが操作部６２を操作してパスワードの入力を行うと、そのパスワードが入出力部２４を介してＣＰＵ２２に入力される。パスワードが入力された場合、ＣＰＵ２２は、その入力したパスワードに基づく認証を行い（Ｓ１０４）、当該認証が成功したか否かを判定する（Ｓ１０５）。具体的には、ＣＰＵ２２は、入力したパスワードと、予めＲＡＭ２６あるいはＲＯＭ２８に記憶されているパスワードとを照合し、両者が一致している場合には認証が成功したと判定し、一致していない場合には認証が失敗したと判定する。
【００４１】
パスワードに基づく認証が失敗した場合には、一連の動作が終了する。一方、パスワードに基づく認証が成功した場合には、ＣＰＵ２２は、処理のモードを個人情報へのアクセスを許可するモード（アクセス許可モード）に設定する（Ｓ１０６）。更に、ＣＰＵ２２は、表示処理部４６に対して居住地域設定画面の表示を指示する。表示処理部４６は、この指示に応じて、図３（ｄ）に示す居住地域設定画面を生成し、ディスプレイ６０に表示させる（Ｓ１０７）。
【００４２】
（第２実施例）
図４は、第２実施例におけるデジタルテレビ放送受信機１００の動作を示すフローチャートであり、図５は、第２実施例におけるディスプレイ６０に表示される画像の一例を示す図である。
【００４３】
処理ユニット２０内のＣＰＵ２２は、デジタルテレビ放送が受信されて、ディスプレイ６０にその画像（図５（ａ））が表示されている時に、ユーザが操作部６２を操作してメニュー画面の表示を指示し、その指示に応じた信号を、入出力部２４を介して入力すると、そのユーザの指示に応じて、表示処理部４６に対してメニュー画面の表示を指示する。表示処理部４６は、この指示に応じて、図５（ｂ）に示すメニュー画面を生成し、ディスプレイ６０に表示させる（Ｓ２０１）。
【００４４】
その後、ＣＰＵ２２は、ユーザがディスプレイ６０に表示されたメニュー画面における「その他の設定」の表示領域２０４に接触した場合、その旨の信号を、入出力部２４を介して入力する。そして、ＣＰＵ２２は、この表示領域２０４に接触した旨の信号に応じて、表示処理部４６に対して個人情報の初期化のための初期化画面の表示を指示する。表示処理部４６は、この指示に応じて、図５（ｃ）に示す初期化画面を生成し、ディスプレイ６０に表示させる（Ｓ２０２）。
【００４５】
次に、ＣＰＵ２２は、ユーザによって個人情報の初期化が指示されたか否かを判定する（Ｓ２０３）。ユーザがディスプレイ６０に表示された初期化画面における個人情報の初期化の「ＯＮ」の表示領域２０５に接触した場合、その旨の信号が、入出力部２４を介してＣＰＵ２２に入力される。ＣＰＵ２２は、この表示領域２０５に接触した旨の信号を入力した場合、個人情報の初期化が指示されたと判定する。
【００４６】
個人情報の初期化が指示された場合、その後は、図２のフローチャートにおけるＳ１０２乃至Ｓ１０５と同様、図５（ｄ）に示すパスワード入力画面の表示（Ｓ２０４）、パスワードの入力判定（Ｓ２０５）、パスワード認証（Ｓ２０６）、パスワード認証の成否判定（Ｓ２０７）、及び、アクセス許可モードの設定（Ｓ２０８）が行われる。アクセス許可モードの設定後、ＣＰＵ２２は、表示処理部４６に対して外部記憶媒体への個人情報の記憶のための外部保存選択画面の表示を指示する。表示処理部４６は、この指示に応じて、図５（ｅ）に示す外部保存選択画面を生成し、ディスプレイ６０に表示させる（Ｓ２０９）。
【００４７】
次に、ＣＰＵ２２は、ユーザによって個人情報の外部記憶媒体への記憶が選択されたか否かを判定する（Ｓ２１０）。ユーザがディスプレイ６０に表示された外部保存選択画面における「はい」の表示領域２０６に接触した場合、その旨の信号が、入出力部２４を介してＣＰＵ２２に入力される。ＣＰＵ２２は、この表示領域２０６に接触した旨の信号を入力した場合、個人情報の外部記憶媒体への記憶が指示されたと判定する。一方、外部保存選択画面における「いいえ」の表示領域２０７に接触し、その旨の信号が、入出力部２４を介してＣＰＵ２２に入力される場合には、ＣＰＵ２２は、個人情報の外部記憶媒体への記憶が指示されなかったと判定する。
【００４８】
一方、個人情報の外部記憶媒体への記憶が指示された場合には、ＣＰＵ２２は、ＲＡＭ２６に記憶されている個人情報をカードスロット３０に装着されたメモリカードに記憶し（Ｓ２１１）、ＲＡＭ２６に記憶されている個人情報を消去する（Ｓ２１２）。一方、個人情報の外部記憶媒体への記憶が指示されなかった場合には、ＣＰＵ２２は、ＲＡＭ２６に記憶されている個人情報の消去のみを行う（Ｓ２１２）。
【００４９】
（第３実施例）
図６は、第３実施例におけるデジタルテレビ放送受信機１００の動作を示すフローチャートであり、図７は、第３実施例におけるディスプレイ６０に表示される画像の一例を示す図である。
【００５０】
デジタルテレビ放送受信機１００の電源が投入されると（Ｓ３０１）、処理ユニット２０内のＣＰＵ２２は、表示処理部４６に対して初期画面の表示を指示する。表示処理部４６は、この指示に応じて、図７（ａ）に示す初期画面を生成し、ディスプレイ６０に表示させる（Ｓ３０２）。
【００５１】
その後は、図２のフローチャートにおけるＳ１０２乃至Ｓ１０５と同様、図７（ｂ）に示すパスワード入力画面の表示（Ｓ３０３）、パスワードの入力判定（Ｓ３０４）、パスワード認証（Ｓ３０５）、パスワード認証の成否判定（Ｓ３０６）、及び、アクセス許可モードの設定（Ｓ３０７）が行われる。
【００５２】
アクセス許可モードの設定後、ＣＰＵ２２は、表示処理部４６に対して，ＲＡＭ２６に記憶されている個人情報を出力するとともに、その個人情報の表示を指示する。表示処理部４６は、この指示に応じて、図７（ｃ）に示す個人情報画面を生成し、ディスプレイ６０に表示させる（Ｓ３０８）。
【００５３】
（第４実施例）
本実施例においては、予め個人情報に対するアクセスを許可するか否かが設定される。図８は、アクセス許可設定における画面の一例を示す図である。処理ユニット２０内のＣＰＵ２２は、ユーザが操作部６２を操作して、メニュー画面の表示を指示すると、その指示に応じた信号を、入出力部２４を介して入力する。そして、ＣＰＵ２２は、そのユーザの指示に応じて、表示処理部４６に対してメニュー画面の表示を指示する。表示処理部４６は、この指示に応じて、図８（ａ）に示すメニュー画面を生成し、ディスプレイ６０に表示させる。
【００５４】
その後、ＣＰＵ２２は、ユーザがディスプレイ６０に表示されたメニュー画面における「その他の設定」の表示領域２０４に接触した場合、その旨の信号を、入出力部２４を介して入力する。そして、ＣＰＵ２２は、この表示領域２０４に接触した旨の信号に応じて、表示処理部４６に対して個人情報へのアクセス許可を設定するための設定画面の表示を指示する。表示処理部４６は、この指示に応じて、図８（ｂ）に示す設定画面を生成し、ディスプレイ６０に表示させる。ユーザがディスプレイ６０に表示された設定画面における個人情報アクセスの「ＯＮ」の表示領域２０８や「ＯＦＦ」の表示領域２０９に接触した場合、その旨の信号が入出力部２４を介してＣＰＵ２２に入力される。ＣＰＵ２２は、表示領域２０８に接触した旨の信号を入力した場合、個人情報へのアクセスを許可する旨の設定情報をＲＡＭ２６に記憶させ、表示領域２０９に接触した旨の信号を入力した場合、個人情報へのアクセスを許可しない旨の設定情報をＲＡＭ２６に記憶させる。
【００５５】
図９は、第４実施例におけるデジタルテレビ放送受信機１００の動作を示すフローチャートである。Ｓ４０１乃至Ｓ４０５の動作は、図２に示すフローチャートにおけるＳ１０１及びＳ１０５の動作と同様であるので、その説明は省略する。
【００５６】
Ｓ４０５においてパスワード認証が成功したと判定した場合、ＣＰＵ２２は、個人情報へのアクセスを許可する旨の設定がなされているか否かを判定する（Ｓ４０６）。具体的には、ＣＰＵ２２は、ＲＡＭ２６に個人情報へのアクセスを許可する旨の設定情報が記憶されている場合には、個人情報へのアクセスを許可する旨の設定がなされていると判定し、個人情報へのアクセスを許可しない旨の設定情報が記憶されている場合には、個人情報へのアクセスを許可しない旨の設定がなされていると判定する。
【００５７】
個人情報へのアクセスを許可しない旨の設定がなされている場合には、一連の動作が終了する。一方、個人情報へのアクセスを許可する旨の設定がなされている場合には、その後は、図２に示すフローチャートにおけるＳ１０６及びＳ１０７と同様に、アクセス許可モードの設定（Ｓ４０７）、居住地域設定画面の表示（Ｓ４０８）が行われる。
【００５８】
（第５実施例）
図１０は、第５実施例におけるデジタルテレビ放送受信機１００の動作を示すフローチャートであり、図１１は、第５実施例におけるディスプレイ６０に表示される画像の一例を示す図である。なお、以下においては、既にパスワード認証が成功し、個人情報へのアクセスを許可するモード（アクセス許可モード）が設定されているものとする。
【００５９】
処理ユニット２０内のＣＰＵ２２は、デジタルテレビ放送受信機１００が搭載された車両が走行中であるか否かを判定する（Ｓ５０１）。具体的には、ＣＰＵ２２は、車両から入出力部２４を介して車速パルスを入力し、その車速パルスに基づいて、車両が走行中であるか否かを判定する。
【００６０】
車両が走行中でない場合には、一連の動作が終了する。一方、車両が走行中の場合には、ＣＰＵ２２は、処理のモードを、個人情報へのアクセスを禁止するモード（アクセス禁止モード）に設定する（Ｓ５０２）。更に、ＣＰＵ２２は、表示処理部４６に対してアクセス禁止モードの通知画面の表示を指示する。表示処理部４６は、この指示に応じて、図１１（ａ）や図１１（ｂ）に示すアクセス禁止モードの通知画面を生成し、ディスプレイ６０に表示させる（Ｓ５０３）。ユーザは、図１１（ａ）の通知画面において「居住地域設定」の表示領域２０１の色のトーンが低下していることや、図１１（ｂ）の通知画面において「個人情報にアクセスできません。」との文字列を見ることによって、アクセス禁止モードであることを認識することができる。
【００６１】
その後、ＣＰＵ２２は、ユーザによって個人情報へのアクセスのための操作指示がなされたか否かを判定する（Ｓ５０４）。具体的には、ユーザが図１１（ａ）の通知画面における「居住地域設定」の表示領域２０１に接触したり、操作部６２を操作して、個人情報へのアクセスのための所定の操作を行った場合、その旨の信号が入出力部２４を介してＣＰＵ２２に入力される。ＣＰＵ２２は、この信号を入力した場合、個人情報へのアクセスのための操作指示がなされたと判定する。
【００６２】
アクセス禁止モードの通知画面の表示から所定時間経過しても、個人情報へのアクセスのための操作指示がなされなかった場合には、一連の動作が終了する。一方、アクセス禁止モードの通知画面の表示から所定時間経過する前に、個人情報へのアクセスのための操作指示がなされた場合には、ＣＰＵ２２は、表示処理部４６に対して車両の停止を指示する画面の表示を指示する。表示処理部４６は、この指示に応じて、図１１（ｃ）に示す車両停止指示画面を生成し、ディスプレイ６０に表示させる（Ｓ５０５）。
【００６３】
（第６実施例）
図１２は、第６実施例におけるデジタルテレビ放送受信機１００の動作を示すフローチャートである。なお、以下においては、既にパスワード認証が成功し、個人情報へのアクセスを許可するモード（アクセス許可モード）が設定されているものとする。
【００６４】
処理ユニット２０内のＣＰＵ２２は、デジタルテレビ放送受信機１００が搭載された車両に運転者以外の者が搭乗しているか否かを判定する（Ｓ６０１）。具体的には、ＣＰＵ２２は、車両に搭載された図示しない乗員検知センサによる検知結果等に基づいて、運転者以外の者が搭乗しているか否かを判定する。
【００６５】
運転者以外の者が搭乗していない場合には、一連の動作が終了する。一方、運転者以外の者が搭乗している場合には、ＣＰＵ２２は、処理のモードを、アクセス禁止モードに設定する（Ｓ６０２）。更に、ＣＰＵ２２は、表示処理部４６に対してアクセス禁止モードの通知画面の表示を指示する。表示処理部４６は、この指示に応じてアクセス禁止モードの通知画面（図１１（ａ）及び（ｂ）参照）を生成し、ディスプレイ６０に表示させる（Ｓ６０３）。
【００６６】
（第７実施例）
図１３は、第７実施例におけるデジタルテレビ放送受信機１００の動作を示すフローチャートである。なお、以下においては、既にパスワード認証が成功し、個人情報へのアクセスを許可するモード（アクセス許可モード）が設定されているものとする。
【００６７】
処理ユニット２０内のＣＰＵ２２は、運転者以外の者によって個人情報へのアクセスのための操作指示がなされたか否かを判定する（Ｓ７０１）。具体的には、ユーザがディスプレイ６０に表示された画面における個人情報へのアクセスのための所定の表示領域に接触したり、操作部６２を操作して、個人情報へのアクセスのための所定の操作を行った場合、その旨の信号が入出力部２４を介してＣＰＵ２２に入力される。ＣＰＵ２２は、この信号を入力した場合、個人情報へのアクセスのための操作指示がなされたと判定する。そして、個人情報へのアクセスのための操作指示がなされたと判定した場合には、更に、ＣＰＵ２２は、乗員検知センサによる検知結果等に基づいて、操作をしたユーザが運転者以外の者であるか否かを判定する。
【００６８】
運転者以外の者により操作指示がなされていない場合には、一連の動作が終了する。一方、運転者以外の者により操作指示がなされた場合には、ＣＰＵ２２は、処理のモードを、アクセス禁止モードに設定する（Ｓ７０２）。更に、ＣＰＵ２２は、表示処理部４６に対してアクセス禁止モードの通知画面の表示を指示する。表示処理部４６は、この指示に応じてアクセス禁止モードの通知画面（図１１（ａ）及び（ｂ）参照）を生成し、ディスプレイ６０に表示させる（Ｓ７０３）。
【００６９】
（第８実施例）
図１４は、第８実施例におけるデジタルテレビ放送受信機１００の動作を示すフローチャートである。なお、以下においては、既にパスワード認証が成功し、個人情報へのアクセスを許可するモード（アクセス許可モード）が設定されているものとする。
【００７０】
処理ユニット２０内のＣＰＵ２２は、デジタルテレビ放送受信機１００が搭載された車両に運転者以外の者が搭乗しているか否かを判定する（Ｓ８０１）。具体的には、図１２に示すフローチャートにおけるＳ６０１と同様、ＣＰＵ２２は、車両に搭載された図示しない乗員検知センサによる検知結果等に基づいて、運転者以外の者が搭乗しているか否かを判定する。
【００７１】
運転者以外の者が搭乗している場合には、ＣＰＵ２２は、処理のモードを、アクセス禁止モードに設定する（Ｓ８０２）。更に、ＣＰＵ２２は、表示処理部４６に対してアクセス禁止モードの通知画面の表示を指示する。表示処理部４６は、この指示に応じてアクセス禁止モードの通知画面（図１１（ａ）及び（ｂ）参照）を生成し、ディスプレイ６０に表示させる（Ｓ８０３）。
【００７２】
一方、運転者以外の者が搭乗していない場合には、ＣＰＵ２２は、表示処理部４６に対して，ＲＡＭ２６に記憶されている個人情報を出力するとともに、その個人情報の表示を指示する。表示処理部４６は、この指示に応じて、個人情報画面（図７（ｃ）参照）を生成し、ディスプレイ６０に表示させる（Ｓ８０４）。
【００７３】
このように、本実施形態のデジタルテレビ放送受信機１００は、パスワードに基づく認証が成功した場合に、デジタルテレビ放送の視聴に必要な個人情報へのアクセスを許可しており、当該個人情報の保護が図られる。また、本実施形態のデジタルテレビ放送受信機１００は、パスワードに基づく認証が成功しても、車両が走行している場合には、個人情報へのアクセスが制限されるため、走行中の操作の抑止が可能となる。更には、本実施形態のデジタルテレビ放送受信機１００は、パスワードに基づく認証が成功しても、運転者以外の者が搭乗していたり、その運転者以外の者が操作を行う場合には、個人情報へのアクセスが制限されるため、運転者の個人情報を適切に保護することが可能となる。
【産業上の利用可能性】
【００７４】
以上、説明したように、本発明に係るデジタルテレビ放送受信機及びデジタルテレビ放送受信機における情報管理方法は、デジタルテレビ放送の視聴に必要な個人情報の保護が図られるため、デジタルテレビ放送受信機等として有用である。
【図面の簡単な説明】
【００７５】
【図１】デジタルテレビ放送受信機の構成を示す図である。
【図２】第１実施例の動作を示すフローチャートである。
【図３】第１実施例における表示画像の一例を示す図である。
【図４】第２実施例の動作を示すフローチャートである。
【図５】第２実施例における表示画像の一例を示す図である。
【図６】第３実施例の動作を示すフローチャートである
【図７】第３実施例における表示画像の一例を示す図である。
【図８】第４実施例における表示画像の一例を示す図である。
【図９】第４実施例における動作を示すフローチャートである。
【図１０】第５実施例の動作を示すフローチャートである。
【図１１】第５実施例における表示画像の一例を示す図である。
【図１２】第６実施例の動作を示すフローチャートである。
【図１３】第７実施例の動作を示すフローチャートである。
【図１４】第７実施例の動作を示すフローチャートである。
【符号の説明】
【００７６】
１０  アンテナ
２０  処理ユニット
２１  バス
２２  ＣＰＵ
２４  入出力部
２６  ＲＡＭ
２８  ＲＯＭ
３２  カードスロット
３４  通信部
３６  チューナ
３８  復調部
４０  ＴＳデコーダ
４２  音声デコーダ
４４  画像デコーダ
４６  表示処理部
５０  スピーカ
６０  ディスプレイ
６２  操作部
１００  デジタルテレビ放送受信機
【図１】
0004574568.tif 000002
【図２】
0004574568.tif 000003
【図３】
0004574568.tif 000004
【図４】
0004574568.tif 000005
【図５】
0004574568.tif 000006
【図６】
0004574568.tif 000007
【図７】
0004574568.tif 000008
【図８】
0004574568.tif 000009
【図９】
0004574568.tif 000010
【図１０】
0004574568.tif 000011
【図１１】
0004574568.tif 000012
【図１２】
0004574568.tif 000013
【図１３】
0004574568.tif 000014
【図１４】
0004574568.tif 000015